(57)【特許請求の範囲】
【請求項１】
ランダムアクセス可能な記録媒体を用いる撮像装置であって、
動画像を取得する撮像部と、
前記撮像部が取得した動画像を前記記録媒体に記録する記録部と、
前記記録媒体に記録された動画像を再生する再生部と、
前記再生部が再生する動画像を表示する表示部と、
前記表示部に前記記録媒体に記録された動画像の縮小画を一覧表示するよう制御する制御部と、
前記表示部に表示された縮小画を、カーソル表示により選択する選択部と、
を有し、
前記選択部により選択された縮小画に対応する動画像を一覧表示画面上に縮小画より大きいサイズで表示する場合、前記選択部により選択されている縮小画及びカーソル移動で選択可能な複数の縮小画以外の縮小画の表示領域上であって、前記選択部により選択されている縮小画及びカーソル移動で選択可能な複数の縮小画の表示を妨げないように、前記制御部が表示位置を制御する、
撮像装置。
【請求項２】
ランダムアクセス可能な記録媒体に記録された動画像を再生する再生方法であって、
動画像を取得し、
前記取得した動画像を前記記録媒体に記録し、
前記記録媒体に記録された動画像の縮小画を表示手段に一覧表示するよう制御し、
前記表示された縮小画を、カーソル表示により選択し、
前記選択された縮小画に対応する動画像を縮小画より大きいサイズで表示する場合、一覧表示画面上に、前記選択されている縮小画及びカーソル移動で選択可能な複数の縮小画以外の縮小画の表示領域上であって、前記選択されている縮小画及びカーソル移動で選択可能な複数の縮小画の表示を妨げないよう表示位置を制御する、
再生方法。
【請求項３】
ランダムアクセス可能な記録媒体に記録されている動画像の選択をするためにサムネイル画像を一覧配置したナビゲーション画像を生成するグラフィック回路を有し、前記ナビゲーション画像を表示手段に表示したナビゲーション画面上で選択操作する撮像装置において、
前記グラフィック回路は動画像を前記ナビゲーション画像に重ね合わせる機能を有し、選択したサムネイル画像に対応する動画像を、サムネイル画像より大きいサイズの画像として前記ナビゲーション画面上にポップアップ表示し、
前記ポップアップ表示の位置は、前記選択されているサムネイル画像及びカーソル移動で選択可能な複数のサムネイル画像以外のサムネイル画像の表示領域上であって、前記選択されているサムネイル画像及びカーソル移動で選択可能な複数のサムネイル画像の表示を妨げない領域上であることを特徴とする撮像装置。
【請求項４】
前記請求項３記載の撮像装置において、任意の動画像のサムネイル画像を選択した場合は、選択したサムネイル画像の動画像の再生を開始し、サムネイル画像より大きいサイズの画像としてポップアップ表示することを特徴とする撮像装置。
【請求項５】
ランダムアクセス可能な記録媒体に記録された動画像を再生する再生装置であって、
前記記録媒体に保存されている動画像を再生する再生部と、
前記再生部が再生する動画像を表示手段が表示するように出力する出力部と、
前記表示手段に前記再生部が再生した動画像の縮小画を一覧表示するよう制御する制御部と、
前記表示部に表示された縮小画を、カーソル表示により選択する選択部と、
を有し、
前記選択部により選択された縮小画に対応する動画像を一覧表示画面上に縮小画より大きいサイズで表示する場合、前記選択部により選択されている縮小画及びカーソル移動で選択可能な複数の縮小画以外の縮小画の表示領域上であって、前記選択部により選択されている縮小画及びカーソル移動で選択可能な複数の縮小画の表示を妨げないように、前記制御部が表示位置を制御する、
再生装置。
【請求項６】
ランダムアクセス可能な記録媒体に記録されている動画像の選択をするためにサムネイル画像を一覧配置したナビゲーション画像を生成するグラフィック回路を有し、前記ナビゲーション画像を表示手段に表示したナビゲーション画面上で選択操作する再生装置において、
前記グラフィック回路は動画像を前記ナビゲーション画像に重ね合わせる機能を有し、選択したサムネイル画像に対応する動画像を、サムネイル画像より大きいサイズの画像として前記ナビゲーション画面上にポップアップ表示し、
前記ポップアップ表示の位置は、前記選択されているサムネイル画像及びカーソル移動で選択可能な複数のサムネイル画像以外のサムネイル画像の表示領域上であって、前記選択されているサムネイル画像及びカーソル移動で選択可能な複数のサムネイル画像の表示を妨げない領域上であることを特徴とする再生装置。
【請求項７】
前記請求項６記載の再生装置において、任意の動画像のサムネイル画像を選択した場合は、選択したサムネイル画像の動画像の再生を開始し、サムネイル画像より大きいサイズの画像としてポップアップ表示することを特徴とする再生装置。
【発明の詳細な説明】
【技術分野】
【０００１】
本発明は、撮像装置に関する。
【背景技術】
【０００２】
本技術分野の背景技術としては、例えば特開２００３−３１９２９５号公報がある。本公報には課題として「ハードディスクレコーダなどに録画された複数のファイル中から所望のファイルについてサムネイル画像を用いて検索する場合に、該サムネイル画像により探し出すことを容易にして使い勝手を向上させる。」と記載があり、解決手段として「静止画サムネイルに画像を選択する機能を設け、選択された画像を動画とし、選択されていない画像をそのまま静止画サムネイルとして表示することにより、ファイルの中身を確認できるようにする。また、この機能の実現には、通常のワイドテレビなどで用いるマルチ画面表示の機能を用いることにより少ない回路規模の増加でサムネイル機能を実現する。」と記載がある。
【０００３】
また、本技術分野の背景技術としては、例えば特開２００３−１９６３１８号公報がある。本公報には目的として「静止画を電子的なアルバムで整理・観賞することを可能とし、かつ静止画の大まかな検索と詳細な検索を可能とする。」と記載があり、構成として「ネガフィルム表示領域６００に縮小画像６０１を一覧表示し、ユーザの要求に応じて縮小画像６０１を順次切り替えて表示し、電子的なアルバムを作る際はユーザが選択した縮小画像６０１からデフォルトサイズのアルバム用画像５６１に変換してページ画面５６０のユーザが指定した位置またはデフォルト位置に配置し、観賞する際はページ画面５６０にアルバム用画像５６１をアルバム管理情報４３に基づいて表示し、ユーザの要求に応じてページ画面５６０を切り替えてページめくりを行い、ユーザが選択したアルバム用画像５６１から拡大画像５８１に変換して拡大画像表示領域５８０に表示し、ユーザからの要求に応じて別の拡大画像５８１を順次表示し、拡大画像５８１を編集した際は逆アルバム用画像５６１に再変換してページ画面５６０に表示する。」と記載がある。
【０００４】
【特許文献１】特開２００３−３１９２９５号公報
【特許文献２】特開２００３−１９６３１８号公報
【発明の開示】
【発明が解決しようとする課題】
【０００５】
本発明は半導体メモリや光学式ドライブ、ハードディスクなどのランダムアクセスが可能な記録媒体と、サムネイル画像を一覧表示した画面（以下、ナビゲーション画面と称す）により記録したシーンの選択が可能なナビゲーション機能と、ナビゲーション画面や再生画面を表示するための小型の液晶パネルを備えた撮像装置における記録したシーン内容の概要を容易に把握するための機能に関する。
【０００６】
従来、撮影した画像を記録したシーンの内容を確認する方法として、記録開始時の静止画を縮小したサムネイル画像を一覧表示させたシーン選択用のナビゲーション画面から希望のサムネイル画像を選択、実行することにより、シーンを再生させて撮影シーンの内容確認を行っていた。
【０００７】
しかしながら、静止画のサムネイル画像では内容がわかりづらい場合があり、ナビゲーション画面表示時にシーンを再生することなくシーンの内容を確認できる方法が望まれていた。このような要望に対応させるための従来技術としては、ナビゲーション画面の選択したシーンのサムネイル画像を動画で表示する技術がある。さらにこの技術では選択したシーンの動画像をサムネイル画像より大きく拡大画像として表示するようにして、動画再生しているシーンの内容確認を見やすくさせる技術がある。（例えば、特許文献１参照）。
【０００８】
また、他の従来技術としては、選択したシーンの静止画の拡大画像をナビゲーション画面上にポップアップ表示する技術がある。（例えば、特許文献２参照）
しかしながら、上記特許文献１記載の従来技術では、動画像を表示する拡大画像の周辺にサムネイル画像を配置する構成となっており、１画面上に表示できるサムネイル画像の数が少なくなっている。そのため、頻繁に記録開始・停止を繰り返すために撮影シーンが多くなってしまう撮像装置の場合、１画面上に配置できるサムネイル画像の数が少ないと目的のシーンを見つけるまでに時間がかかってしまうという課題があった。
【０００９】
また、上記特許文献２記載の従来技術では、ポップアップ表示する拡大画像は静止画であり動画像には配慮されていないので、ポップアップ表示として再生画を表示することはできないという課題があった。さらに、拡大画像をポップアップ表示する位置には配慮されていないため、ナビゲーション画面の中央部分にポップアップ表示してしまうと、次に選択可能なサムネイル画像が隠れてしまい、ポップアップ表示を終了させなければ次のサムネイル画像がわからなくなってしまうという課題があった。
【００１０】
本発明の目的は、選択したシーンの動画像を拡大画像でナビゲーション画面上にポップアップ表示し、さらに選択したシーンのサムネイル画像周辺のサムネイル画像に重ならない位置に拡大画像を表示することにより、操作性を損なわず視認性を改善し、シーンの内容を確認することができる撮像装置を提供することにある。
【００１１】
つまるところ、本発明は撮像装置の使い勝手を向上することを目的とする。
【課題を解決するための手段】
【００１２】
上記目的は、特許請求の範囲に記載の発明により達成できる。
【発明の効果】
【００１３】
本発明によれば、撮像装置の使い勝手が向上できる。
【発明を実施するための最良の形態】
【００１４】
以下、本発明による実施例について図を用いて説明する。
【００１５】
本実施例によるビデオカメラの構成及び動作について図１を用いて説明する。図１に、本実施例によるビデオカメラの基本的なブロック図を示す。
【００１６】
図１において１はレンズ／ＣＣＤ（Ｃｈａｒｇｅ  Ｃｏｕｐｌｅｄ  Ｄｅｖｉｃｅｓ）、２はカメラＤＳＰ（Ｄｉｇｉｔａｌ  Ｓｉｇｎａｌ  Ｐｒｏｃｅｓｓｏｒ）、３はナビゲーション起動ボタン、４は液晶パネル、５は外部出力端子、６はドライブ装置、７は記録／再生回路、８はグラフィック回路、９はマイクロコンピュータ、１０は記録媒体、１１はカーソル移動ボタンを示す。
【００１７】
記録動作時にはレンズ／ＣＣＤ１から取り込まれた撮像信号がカメラＤＳＰ２を経由し、記録／再生回路７へ入力され、符号化等各種の信号処理を行った後ドライブ装置６により記録媒体１０へ画像データが記録される。また、同時に記録開始時のサムネイル画像がマイクロコンピュータ９により生成され、このサムネイル画像と記録時間、日付、記録モードなどのシーン管理情報が記録媒体１０へ記録される。一方、記録／再生回路７へ入力された符号化される前の画像信号がグラフィック回路８を経由して液晶パネル４や外部出力端子５へ渡され、表示される。
【００１８】
再生動作時は記録媒体１０からドライブ装置６を経由して画像データが読み出され、記録／再生回路７へ入力される。記録／再生回路７で復号化等各種処理をされた画像信号がグラフィック回路８へ入り、その後、液晶パネル４や外部出力端子５へ渡され表示される。ここで、通常の記録及び再生動作時はグラフィック回路８では文字情報信号の重畳を行っている。上記これらの動作制御はすべてマイクロコンピュータ９により制御されている。
【００１９】
次に、ナビゲーション画面表示時について説明する。ナビゲーション起動ボタン３の操作によりナビゲーション画面を表示させる時は、まずグラフィック回路８によりナビゲーション画面の背景画像を作成する。背景画像は、サムネイル画像を表示するサムネイル表示エリアと、選択したサムネイル画像のタイトル等を表示するタイトル表示エリアと、操作ガイドを表示する操作ガイド表示エリアとで構成される。次に、記録媒体１０からシーン管理情報を、記録／再生回路７を経由してマイクロコンピュータ９が入手する。マイクロコンピュータ９はこのシーン管理情報から各シーンの動画/静止画/記録モードなどの属性、表示順、編集情報などを取得し、取得したシーン属性、表示順、編集情報等を、ナビゲーション画面の１画面分の管理情報として作成し、さらにこの１画面分の管理情報を基に１画面分の所定数（例えば１２個）のサムネイル画像をシーン管理情報内にあるサムネイル画像情報から読み出し、同時に表示するタイトルなどの情報と一緒にグラフィック回路８へ入力する。グラフィック回路８では、先に作成した背景画像に読み出した所定数のサムネイル画像をサムネイル表示エリアに重畳するとともに、タイトルなどの情報から文字をタイトル表示エリアに重畳することでナビゲーション画像を作成する。このナビゲーション画像を液晶パネル４や外部出力端子５に接続された表示装置にナビゲーション画面として表示する。
【００２０】
ここで、本実施例に係わる選択したサムネイル画像の動画の拡大画像をポップアップ表示する場合の動作について説明する。前述のナビゲーション画面において、カーソル移動ボタン１１を操作してカーソルを希望のサムネイル画像にあわせることで選択する。選択したサムネイル画像に対し、何も操作を行わない状態が一定時間（例えば３秒間）ほど続いたときにマイクロコンピュータ９は選択されたサムネイル画像に対応するシーンの再生を開始するとともにポップアップ表示要求をグラフィック回路８に対して発行する。グラフィック回路８では、選択したサムネイル画像と、選択したサムネイル画像からカーソル移動ボタン１１による上下左右のカーソル操作により次に選択可能な複数のサムネイル画像の位置情報から選択したサムネイル画像及び次に選択可能な複数のサムネイル画像が表示されている部分を除いた位置に拡大画像が表示できるようなポップアップ表示エリアを設定し、記録媒体１０から再生画像を記録／再生回路７を経由して入手した再生画像を、先のポップアップ表示エリア上に重畳し、液晶パネル４等に表示する。
【００２１】
さらに、ポップアップ表示時の各部の動作について詳細に説明する。マイクロコンピュータ９は選択されたサムネイル画像に対応する１画面の管理情報及びシーン管理情報から記録モード、編集情報、記録媒体上に記録されている位置情報などを取得し、この情報と一緒に記録／再生回路７へ再生開始命令を発行する。記録／再生回路７は指定された記録媒体１０上の画像データが記録された位置からドライブ装置６を経由して画像データを読み出す。記録／再生回路７で復号化や管理情報から取得した編集情報などを基に各種処理を行い、生成された画像信号がグラフィック回路８へ入力される。マイクロコンピュータ９は記録／再生回路７へ再生開始命令を発行すると同時に、グラフィック回路８に対し、ナビゲーション画像へ再生画像をポップアップ表示する位置とサイズを発行する。ここで、指定されるポップアップ表示の場所及びサイズは、現在選択しているサムネイル画像と、選択しているサムネイル画像からカーソル移動ボタン１１による上下左右のカーソル操作により次に選択可能な複数のサムネイル画像が表示されている部分を除いたサムネイル表示エリアの位置情報から設定する。これにより、タイトル表示エリアやガイド表示エリア等の文字情報を表示するエリアにポップアップ表示が重ならないようにすることができる。グラフィック回路８はマイクロコンピュータ９からの表示位置、サイズの情報に合わせ、ナビゲーション画像に再生画像を重畳し、液晶パネル４や外部出力端子５にナビゲーション画面上にポップアップ表示として再生画の拡大画像を重畳した画像を出力する。
【００２２】
ここで、ポップアップ表示後に別なシーンを選択する場合はカーソル移動ボタン１１の操作にて行う。カーソル移動ボタン１１が操作されたことをマイクロコンピュータ９が検出するとシーンの再生を停止するとともにポップアップ表示解除要求をグラフィック回路８に対し発行し、ナビゲーション画面上のカーソルを移動させる。その後、一定時間カーソル移動が行なわれなかった場合、マイクロコンピュータ９は、一定時間の無操作状態が続いたことを検出して選択されたシーンの再生開始とポップアップ表示を自動的に行う。さらに、ポップアップ表示状態でカーソル移動ボタン１１の操作が行われるとポップアップ表示を解除し再生動作の停止処理、カーソル移動を行う。
【００２３】
尚、無操作状態を検出するための一定時間については操作性を損なわない時間設定とする必要がある。例えば、カーソル移動ボタン１１を押し続けた場合は、即座にカーソルを移動する必要があるため、ポップアップ表示は行わない。最終的にカーソルの移動が停止したサムネイル画像上で３秒間操作が行われなければ、選択されたシーンの再生開始要求とポップアップ表示要求を発行する。例えば、希望するサムネイル画像が、現在選択しているサムネイル画像の上下左右の位置に無く、希望するサムネイル画像を選択する為に、いくつかのサムネイル画像を経由しなければならない場合に、サムネイル画像を一つ移動させる毎に、即座にポップアップ表示による再生画像表示を行うと、希望するサムナイル画像へ移動するまでに、いくつかの不要なポップアップ表示が行われることになり、スムーズなカーソル移動の妨げとなる。本実施例では、一例として、スムーズなカーソル移動のために、カーソルが、サムネイル画像に留まったと判断する時間を３秒とし、３秒以上一つのサムネイル画像上にカーソルが留まった場合に、ポップアップ表示をさせるような動作を説明した。
【００２４】
上記した動作の処理の流れを図３のカーソル移動ボタン１１の操作によるポップアップ表示の動作フローチャートを用い説明する。図３に、本実施例によるポップアップ画面の表示判定を行うフローチャートを示す。
【００２５】
ナビゲーション起動ボタン３の操作によりナビゲーション画面が表示されると、まずステップ３１でカーソル移動ボタン１１が押されているかを判断する。押されている場合はステップ３７でポップアップ表示中かどうかの判断を行い、ポップアップ表示中の場合はステップ３２にてポップアップ表示解除要求及び再生動作停止要求を発行し、ステップ３３でカーソル移動処理を行い、カーソル移動ボタン１１操作処理を終了する。ステップ３７でポップアップ表示中でない場合はステップ３３でカーソル移動処理を行い、カーソル移動ボタン１１操作処理を終了する。その後、所定の周期でステップ３１に戻りカーソル移動ボタン１１の操作を待つ。
【００２６】
ステップ３１にてカーソル移動ボタン１１が押されていない場合は、ステップ３４の現在、画面上にポップアップ表示中かどうかの判断によって処理が変わる。ポップアップ表示中の状態ではステップ３６のポップアップ表示処理開始要求を設定する必要がないため、すぐにカーソル移動ボタン１１操作処理を終了する。このときポップアップ表示は動画表示を継続する。ステップ３４でポップアップ表示中でない場合はステップ３５で無操作状態の時間を確認する。ステップ３５の判定結果が規定時間経過しているとなった場合はステップ３６で選択されているサムネイル画像のシーンの再生開始設定及びポップアップ表示設定を行う。ステップ３５の判定結果が規定時間経過していないとなった場合にはすぐにカーソル移動ボタン１１操作処理を終了する。
【００２７】
ここで、ステップ３６の動作についてさらに説明する。ステップ３６では、グラフィック回路８に対して、ポップアップ表示エリアを設定し、記録媒体１０を起動して再生データを読み出し、再生画像をポップアップ表示エリアに重畳する処理を行う。また、グラフィック回路８では、現在選択しているサムネイル画像と、現在選択しているサムネイル画像からカーソル移動ボタン１１による上下左右のカーソル操作により次に選択可能な複数のサムネイル画像が表示されている部分を除いたサムネイル表示エリアに、ポップアップ表示エリアを設定し、ポップアップ表示が選択したいサムネイル画像及び次に選択可能な複数のサムネイル画像に重ならないようない位置になるような処理も行う。
【００２８】
次に、本実施例による画面の表示例を図２、図４から図６を用いて説明する。図２に、本実施例によるシーン選択を行うナビゲーション画面を示す。ナビゲーション画面とは図２に示すように、複数のサムネイル画像を１画面に配置したナビゲーション画面２０を示す。ここで、選択されているサムネイル画像Ａ２３は他の選択されていないサムネイル画像と区別がつくように太枠２４で囲まれている。画面上部のタイトル表示エリア２１には選択されたサムネイル画像Ａ２３のシーンのタイトルが表示される。図２では日付がタイトルとして設定されている例を示す。画面下部の操作ガイド表示エリア２２には操作ガイドなどを表示することにより操作性を向上させ、また、画面上部のタイトル表示エリア２１に日付等のタイトルが表示される事により選択されたサムネイル画像の記録内容の判別を容易にする。ここで、ユーザーがカーソル移動ボタン１１により操作を行い、別なサムネイル画像を選択した場合は太枠２４、タイトル表示エリア２１が選択されたサムネイル画像に合わせた表示に切り替わる。
【００２９】
さらに、選択するサムネイル画像の内容を認識できるようにポップアップ表示がサムネイル画像と重ならないように、マイクロコンピュータ９によりポップアップ表示の配置位置及びサイズを制御したときの画面表示例を説明する。図４は本実施例によるポップアップ表示した時のナビゲーション画面例１、図５は本実施例によるポップアップ表示した時のナビゲーション画面例２、図６は本実施例によるポップアップ表示した時のナビゲーション画面例３を示す。
【００３０】
図４では、画面左上端にあるサムネイル画像Ａ２３が選択された状態の画面を示しており、ポップアップ表示Ａ４１を図に示すような位置に配置することによりカーソル右移動方向４２やカーソル下移動方向４３の次のサムネイル画像を認識することが可能になる。このように、現在選択しているサムネイル画像Ａ２３と、現在選択しているサムネイル画像からカーソル移動ボタン１１による上下左右のカーソル操作により次に選択可能な複数のサムネイル画像Ｂ４４及びＥ４５が表示されている部分を除いたサムネイル表示エリアにポップアップ表示Ａ４１の表示を行うことにより、次に選択可能なサムネイル画像を認識可能になる。
【００３１】
図５では、画面右上端にあるサムネイル画像Ｄ５３が選択された状態の画面を示しており、この場合ではポップアップ表示Ｄ５１を図に示すような位置に配置することによりカーソル下移動方向４３及びカーソル左移動方向５４の次のサムネイル画を認識することが可能になる。
【００３２】
図６のように上下左右が選択可能なサムネイル画像Ｆ６３が選択された場合でも、ポップアップ表示Ｆ６１を図に示すような位置に配置することでカーソル上移動方向６２及びカーソル下、左、右移動方向４３、５４、４２の次のサムネイル画像を認識することが可能になる。
【００３３】
次に、ポップアップ表示を表示する位置及びサイズを設定する方法について、図７、図８を用いて説明する。図７は本実施例によるポップアップ表示位置、図８は本実施例による座標管理テーブルを示す。
【００３４】
図３のステップ３６のポップアップ表示設定時にポップアップ表示の表示位置を導き出し、グラフィック回路８に対して設定する。まず、サムネイル画像毎にサムネイル管理番号を付けて、ナビゲーション画面２０の左上のサムネイル画像Ａ２３のサムネイル管理番号を０として右へいく毎に１、２、３として一画面分を管理する。ポップアップ表示Ａ４１の位置情報は図７に示すように横方向をＸ座標位置Ａ７１、縦方向をＹ座標位置Ｂ７２として管理する。Ｘ座標、Ｙ座標それぞれの基準位置７３、７４はナビゲーション画面２０の左上とする。各サムネイル画像のポップアップ表示を行ったときに、最適な位置をＸ座標位置Ａ７１とＹ座標位置Ｂ７２として、図８に示すようなテーブルデータとしてマイクロコンピュータ９に記憶されている。図８に示すようにテーブルデータには、サムネイル管理番号毎に、ポップアップ表示のサイズをサムネイル画像の何倍にするかを設定するサイズ設定値も記憶されている。マイクロコンピュータ９は選択されたサムネイル画像からサムネイル管理番号を求め、図８のテーブルデータからサムネイル管理番号と一対になったポップアップ表示のＸ座標位置Ａ７１とＹ座標位置Ｂ７２及びサイズ設定値を読み出す。読み出したＸ座標位置Ａ７１とＹ座標位置Ｂ７２及びサイズ設定値をグラフィック回路８へポップアップ表示指示を行うときに一緒に通知する。指示を受けたグラフィック回路８はナビゲーション画面２０の基準位置７３、７４から指示されたＸ座標位置Ａ７１、Ｙ座標位置Ｂ７２の位置及びサイズでポップアップ表示Ａ４１を重畳する。
【００３５】
以上より、小型の液晶パネル上における複数のサムネイル画像を表示するナビゲーション画面において、１画面上に表示するサムネイル画像の数を減らさずに選択したサムネイル画像の動画像が大きくポップアップ表示されることにより、操作性を損なわず視認性を改善し、シーンの内容の判別が容易になる。また、自動的に再生を開始して再生画像を拡大表示するので、操作性を改善できる。また、カーソル移動により次のサムネイル画像を選択する場合、カーソル移動が可能な範囲のサムネイル画像を隠さないような位置およびサイズで拡大画像をポップアップ表示を行うことにより、カーソル操作によるサムネイル画像選択時の操作性を向上させることができる。
【００３６】
本実施例によれば、選択したシーンの動画像を拡大画像でナビゲーション画面上にポップアップ表示し、さらに選択したシーンのサムネイル画像周辺のサムネイル画像に重ならない位置に拡大画像を表示することにより操作性を損なわず視認性を改善し、シーンの内容を確認することができる。
【図面の簡単な説明】
【００３７】
【図１】本実施例によるビデオカメラのブロック図
【図２】本実施例によるシーン選択を行うナビゲーション画面
【図３】本実施例によるポップアップ画面の表示判定を行うフローチャート
【図４】本実施例によるポップアップ画面を表示した時のナビゲーション画面例１
【図５】本実施例によるポップアップ画面を表示した時のナビゲーション画面例２
【図６】本実施例によるポップアップ画面を表示した時のナビゲーション画面例３
【図７】本実施例によるポップアップ表示位置
【図８】本実施例による座標管理テーブル
【符号の説明】
【００３８】
１：レンズ／ＣＣＤ、２：カメラＤＳＰ、３：ナビゲーション起動ボタン、４：液晶パネル、５：外部出力端子、６：ドライブ装置、７：記録／再生回路、８：グラフィック回路、９：マイクロコンピュータ、１０：記録媒体、１１：カーソル移動ボタン、２０：ナビゲーション画面、２１：タイトル表示エリア、２２：操作ガイド表示エリア、２３：サムネイル画像Ａ、２４太枠、４１：ポップアップ表示Ａ、４２：カーソル右移動方向、４３：カーソル下移動方向、４４：サムネイル画像Ｂ、４５：サムネイル画像Ｅ、５１：ポップアップ画像Ｄ、５３：サムネイル画Ｄ、５４：カーソル左移動方向、６２：カーソル上移動方向、６３：サムネイル画像Ｆ、７１：Ｘ座標位置Ａ、７２：Ｙ座標位置Ｂ、７３：Ｘ基準位置、７４：Ｙ基準位置
【図１】
0004595807.tif 000002
【図２】
0004595807.tif 000003
【図３】
0004595807.tif 000004
【図４】
0004595807.tif 000005
【図５】
0004595807.tif 000006
【図６】
0004595807.tif 000007
【図７】
0004595807.tif 000008
【図８】
0004595807.tif 000009